【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムであって、
前記基地局装置は、前記ユーザ端末から通知された、チャネル状態情報プロセス数に関する能力情報に基づいて、サブフレーム番号よりも時間的に４サブフレーム以前に遡って一番近いチャネル状態情報参照リソースを用いてチャネル状態情報を求めるチャネル状態情報プロセスを決定する決定部を有し、
前記ユーザ端末は、前記能力情報を前記基地局装置に通知する通知部と、前記基地局装置で決定されたチャネル状態情報プロセスに基づいてチャネル状態情報のフィードバック処理を行うフィードバック処理部と、を有することを特徴とする無線通信システム。
【請求項２】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムであって、
前記基地局装置は、前記ユーザ端末から通知された、チャネル状態情報プロセス数に関する能力情報に基づいて、サブフレーム番号よりも時間的に４サブフレーム前のサブフレームよりも時間的に前のサブフレームに遡って一番近いチャネル状態情報参照リソースを用いてチャネル状態情報を求めるチャネル状態情報プロセスを決定する決定部を有し、
前記ユーザ端末は、前記能力情報を前記基地局装置に通知する通知部と、前記基地局装置で決定されたチャネル状態情報プロセスに基づいてチャネル状態情報のフィードバック処理を行うフィードバック処理部と、を有することを特徴とする無線通信システム。
【請求項３】
前記基地局装置は、前記決定部で決定したチャネル状態情報プロセスを前記ユーザ端末に通知する通知部を有することを特徴とする請求項１又は請求項２記載の無線通信システム。
【請求項４】
前記通知部は、チャネル状態情報プロセス単位、コンポーネントキャリア単位、及び／又はレポーティングタイプ単位で通知することを特徴とする請求項３記載の無線通信システム。
【請求項５】
前記決定部で決定したチャネル状態情報プロセスをハイヤレイヤシグナリング又はダイナミックシグナリングで前記ユーザ端末に通知することを特徴とする請求項１から請求項４のいずれかに記載の無線通信システム。
【請求項６】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムにおける基地局装置であって、
前記ユーザ端末から通知された、チャネル状態情報プロセス数に関する能力情報に基づいて、サブフレーム番号よりも時間的に４サブフレーム以前に遡って一番近いチャネル状態情報参照リソースを用いてチャネル状態情報を求めるチャネル状態情報プロセスを決定する決定部を有することを特徴とする基地局装置。
【請求項７】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムにおける基地局装置であって、
前記ユーザ端末から通知された、チャネル状態情報プロセス数に関する能力情報に基づいて、サブフレーム番号よりも時間的に４サブフレーム前のサブフレームよりも時間的に前のサブフレームに遡って一番近いチャネル状態情報参照リソースを用いてチャネル状態情報を求めるチャネル状態情報プロセスを決定する決定部を有することを特徴とする基地局装置。
【請求項８】
前記決定部で決定したチャネル状態情報プロセスを前記ユーザ端末に通知する通知部を有することを特徴とする請求項６又は請求項７記載の基地局装置。
【請求項９】
前記通知部は、チャネル状態情報プロセス単位、コンポーネントキャリア単位、及び／又はレポーティングタイプ単位で通知することを特徴とする請求項８記載の基地局装置。
【請求項１０】
前記決定部で決定したチャネル状態情報プロセスをハイヤレイヤシグナリング又はダイナミックシグナリングで前記ユーザ端末に通知することを特徴とする請求項６から請求項９のいずれかに記載の基地局装置。
【請求項１１】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムにおけるユーザ端末であって、
前記ユーザ端末は、チャネル状態情報プロセス数に関する能力情報を前記基地局装置に通知する通知部と、前記能力情報に基づいて前記基地局装置で決定された、サブフレーム番号よりも時間的に４サブフレーム以前に遡って一番近いチャネル状態情報参照リソースを用いてチャネル状態情報を求めるチャネル状態情報プロセスに基づいてチャネル状態情報のフィードバック処理を行うフィードバック処理部と、を有することを特徴とするユーザ端末。
【請求項１２】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムにおけるユーザ端末であって、
前記ユーザ端末は、チャネル状態情報プロセス数に関する能力情報を前記基地局装置に通知する通知部と、前記能力情報に基づいて前記基地局装置で決定された、サブフレーム番号よりも時間的に４サブフレーム前のサブフレームよりも時間的に前のサブフレームに遡って一番近いチャネル状態情報参照リソースを用いてチャネル状態情報を求めるチャネル状態情報プロセスに基づいてチャネル状態情報のフィードバック処理を行うフィードバック処理部と、を有することを特徴とするユーザ端末。
【請求項１３】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムの無線通信方法であって、
前記基地局装置において、前記ユーザ端末から通知された、チャネル状態情報プロセス数に関する能力情報に基づいて、サブフレーム番号よりも時間的に４サブフレーム以前に遡って一番近いチャネル状態情報参照リソースを用いてチャネル状態情報を求めるチャネル状態情報プロセスを決定するステップと、
前記ユーザ端末において、前記能力情報を前記基地局装置に通知するステップと、前記基地局装置で決定されたチャネル状態情報プロセスに基づいてチャネル状態情報のフィードバック処理を行うステップと、を有することを特徴とする無線通信方法。
【請求項１４】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムの無線通信方法であって、
前記基地局装置において、前記ユーザ端末から通知された、チャネル状態情報プロセス数に関する能力情報に基づいて、サブフレーム番号よりも時間的に４サブフレーム前のサブフレームよりも時間的に前のサブフレームに遡って一番近いチャネル状態情報参照リソースを用いてチャネル状態情報を求めるチャネル状態情報プロセスを決定するステップと、
前記ユーザ端末において、前記能力情報を前記基地局装置に通知するステップと、前記基地局装置で決定されたチャネル状態情報プロセスに基づいてチャネル状態情報のフィードバック処理を行うステップと、を有することを特徴とする無線通信方法。
【手続補正２】
【補正対象書類名】明細書
【補正対象項目名】００１１
【補正方法】変更
【補正の内容】
【００１１】
本発明の無線通信システムは、チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムであって、前記基地局装置は、前記ユーザ端末から通知された、チャネル状態情報プロセス数に関する能力情報に基づいて、サブフレーム番号よりも時間的に４サブフレーム以前に遡って一番近いチャネル状態情報参照リソースを用いてチャネル状態情報を求めるチャネル状態情報プロセスを決定する決定部を有し、前記ユーザ端末は、前記能力情報を前記基地局装置に通知する通知部と、前記基地局装置で決定されたチャネル状態情報プロセスに基づいてチャネル状態情報のフィードバック処理を行うフィードバック処理部と、を有することを特徴とする。